(57)【特許請求の範囲】
【請求項１】
情報伝送方法であって、
少なくとも１つの端末装置のダウンリンク制御チャネルの時間周波数リソースを決定し、前記少なくとも１つの端末装置のダウンリンク制御チャネルの時間周波数リソースが、システム帯域幅における第１制御領域内において、先周波数領域後時間領域の方式でマッピングされることと、
前記少なくとも１つの端末装置のダウンリンク制御チャネルの時間周波数リソースによって前記少なくとも１つの端末装置のダウンリンク制御チャネルを送信することと、を含み、
前記第１制御領域内のＯＦＤＭシンボルがビーム番号に関連され、特定ビーム番号に対応するダウンリンク制御チャネルの時間周波数リソースが前記特定ビーム番号に関連するＯＦＤＭシンボルに位置することを特徴とする、前記情報伝送方法。
【請求項２】
前記方法は、更に、
前記第１制御領域の構成を示すための制御領域構成情報を前記少なくとも１つの端末装置に送信することを含むことを特徴とする
請求項１に記載の方法。
【請求項３】
前記方法は、更に、
特定端末装置のダウンリンク制御チャネルの時間周波数リソースの所在するＯＦＤＭシンボルを示すための第１サーチ空間構成情報を前記少なくとも１つの端末装置のうちの特定端末装置に送信することを含む
請求項１又は２に記載の方法。
【請求項４】
前記方法は、更に、
ビーム番号に関連する少なくとも１つのＯＦＤＭシンボルを示すための第２サーチ空間構成情報を前記少なくとも１つの端末装置に送信することを含むことを特徴とする
請求項１〜３のいずれか一項に記載の方法。
【請求項５】
前記少なくとも１つの端末装置のダウンリンク制御チャネルの時間周波数リソースによって前記少なくとも１つの端末装置のダウンリンク制御チャネルを送信することは、
前記第１制御領域の少なくとも１つのＯＦＤＭシンボルにおいてビームフォーミングを用いて、前記少なくとも１つの端末装置のダウンリンク制御チャネルの時間周波数リソースによって前記少なくとも１つの端末装置のダウンリンク制御チャネルを送信することを含むことを特徴とする
請求項１〜４のいずれか１項に記載の方法。
【請求項６】
情報伝送方法であって、
ネットワーク機器から送信された、システム帯域幅における端末装置に対応する第１制御領域の構成を示す構成情報を受信することと、
前記構成情報に基づいて前記第１制御領域おいて前記端末装置のダウンリンク制御チャネルを検出することと、を含み、
前記第１制御領域のマッピング方式が先周波数領域後時間領域の方式であり、前記第１制御領域内のＯＦＤＭシンボルがビーム番号に関連され、特定ビーム番号に対応するダウンリンク制御チャネルの時間周波数リソースが前記特定ビーム番号に関連するＯＦＤＭシンボルに位置することを特徴とする、前記情報伝送方法。
【請求項７】
ネットワーク機器であって、
少なくとも１つの端末装置のダウンリンク制御チャネルの時間周波数リソースを決定することに用いられ、前記少なくとも１つの端末装置のダウンリンク制御チャネルの時間周波数リソースが、システム帯域幅における第１制御領域内において、先周波数領域後時間領域の方式でマッピングされる処理モジュールと、
前記少なくとも１つの端末装置のダウンリンク制御チャネルの時間周波数リソースによって前記少なくとも１つの端末装置のダウンリンク制御チャネルを送信するための送受信モジュールと、を備え、
前記第１制御領域内のＯＦＤＭシンボルがビーム番号に関連され、特定ビーム番号に対応するダウンリンク制御チャネルの時間周波数リソースが前記特定ビーム番号に関連するＯＦＤＭシンボルに位置することを特徴とする、前記ネットワーク機器。
【請求項８】
前記先周波数領域後時間領域の方式は、
周波数領域に沿って前記第１制御領域内の１番目の直交周波数分割多重（ＯＦＤＭ）シンボルをマッピングしてから、前記第１制御領域内の次のＯＦＤＭシンボルをマッピングすることを含むことを特徴とする
請求項７に記載のネットワーク機器。
【請求項９】
１つの制御チャネル候補に対応するＣＣＥリソースが周波数領域において連続したものであることを特徴とする
請求項８に記載のネットワーク機器。
【請求項１０】
前記送受信モジュールは、更に、前記第１制御領域の構成を示すための制御領域構成情報を前記少なくとも１つの端末装置に送信することに用いられることを特徴とする
請求項７〜９のいずれか１項に記載のネットワーク機器。
【請求項１１】
前記送受信モジュールは、更に、特定端末装置のダウンリンク制御チャネルの時間周波数リソースの所在するＯＦＤＭシンボルを示すための第１サーチ空間構成情報を前記少なくとも１つの端末装置のうちの特定端末装置に送信することに用いられることを特徴とする
請求項７〜１０のいずれか１項に記載のネットワーク機器。
【請求項１２】
前記送受信モジュールは、更に、ビーム番号に関連する少なくとも１つのＯＦＤＭシンボルを示すための第２サーチ空間構成情報を前記少なくとも１つの端末装置に送信することに用いられることを特徴とする
請求項７〜１１のいずれか１項に記載のネットワーク機器。
【請求項１３】
前記送受信モジュールは、具体的に、前記第１制御領域の少なくとも１つのＯＦＤＭシンボルにおいてビームフォーミングを用いて、前記少なくとも１つの端末装置のダウンリンク制御チャネルの時間周波数リソースによって前記少なくとも１つの端末装置のダウンリンク制御チャネルを送信することに用いられることを特徴とする
請求項７〜１２のいずれか１項に記載のネットワーク機器。
【請求項１４】
端末装置であって、
ネットワーク機器から送信された、システム帯域幅における前記端末装置に対応する第１制御領域の構成を示す構成情報を受信するための送受信モジュールと、
前記構成情報に基づいて前記第１制御領域おいて前記端末装置のダウンリンク制御チャネルを検出するための処理モジュールと、を備え、
前記第１制御領域のマッピング方式が先周波数領域後時間領域の方式であり、前記第１制御領域内のＯＦＤＭシンボルがビーム番号に関連され、特定ビーム番号に対応するダウンリンク制御チャネルの時間周波数リソースが前記特定ビーム番号に関連するＯＦＤＭシンボルに位置することを特徴とする、前記端末装置。
【発明の詳細な説明】
【技術分野】
【０００１】
本願は通信分野に関し、且つより具体的に、情報伝送方法、ネットワーク機器及び端末装置に関する。
【背景技術】
【０００２】
ロングタームエボリューション（ＬＴＥ：Ｌｏｎｇ  Ｔｅｒｍ  Ｅｖｏｌｕｔｉｏｎ）システムのダウンリンク制御チャネルは各時間領域スケジューリングユニット（ＬＴＥでは、サブフレーム（ｓｕｂｆｒａｍｅ）と称される）の先頭数個の複数の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおいて伝送されたものである。制御領域はシステム帯域幅全体の先頭数個の複数のＯＦＤＭシンボルに含まれる時間周波数リソースであって、各端末装置により共有される。ネットワーク側は、端末装置と関係するいくつかの特定位置で端末装置のために構成された制御チャネルを送信する。ネットワーク側は更に制御信号の負荷、符号化ビット誤り率等の要件に応じて異なるサイズの物理リソースを動的に割り当てて、各端末の制御チャネルを伝送することができる。異なるサイズの物理リソースと異なる特定位置は、端末装置により構成される制御チャネルの伝送可能な位置と使用リソースになる。ある特定位置及び対応するリソースが端末装置により構成される制御チャネルの１つの候補と称され、すべてのこれらの候補が該端末装置の制御チャネルサーチ空間と総称される。端末装置は、各サブフレームの制御領域内の自分の制御チャネルサーチ空間内において、自分に属する制御チャネルの候補をブラインド検出して、ネットワーク側から自分に送信される制御信号があるかどうかを、発見するまで確認する必要がある。端末装置が自分の制御チャネルサーチ空間をブラインド検出した後、自分に属する制御チャネルが検出されていない場合、端末装置はネットワーク側から送信されてきた制御チャネルがないと仮定することができる。
【０００３】
５Ｇシステムにおいて、制御チャネルの設計はＬＴＥとある程度異なる。まず、制御領域がシステム帯域幅全体ではなく、その一部であり、次は、ビームフォーミング又は他の要素等も考慮する必要があるかもしれない。
【０００４】
従って、システムの性能を向上させるために、早急に５Ｇシステムに適用する伝送制御チャネルの技術案を提供しなければならない。
【発明の概要】
【発明が解決しようとする課題】
【０００５】
本願の実施例はシステムの性能を向上させることのできる情報伝送方法、ネットワーク機器及び端末装置を提供する。
【課題を解決するための手段】
【０００６】
第１態様に係る情報伝送方法であって、
少なくとも１つの端末装置のダウンリンク制御チャネルの時間周波数リソースを決定し、該少なくとも１つの端末装置のダウンリンク制御チャネルの時間周波数リソースがシステム帯域幅における第１制御領域内で先周波数領域後時間領域の方式でマッピングされることと、
該少なくとも１つの端末装置のダウンリンク制御チャネルの時間周波数リソースによって該少なくとも１つの端末装置のダウンリンク制御チャネルを送信することと、を含む。
【０００７】
本願の実施例では、ネットワーク機器は該第１制御領域内で先周波数領域後時間領域の方式で少なくとも１つの端末装置のダウンリンク制御チャネルの時間周波数リソースをマッピングする。このように、１つ又は複数のダウンリンク制御チャネルが１つのＯＦＤＭシンボルにマッピングされることにより、５Ｇシステムの要件に応じて、例えばビームフォーミング等の伝送方式を実行し、それによりダウンリンクカバレッジを強化し、システムの性能を向上させることができる。
【０００８】
いくつかの可能な実現方式では、先周波数領域後時間領域の方式は、
周波数領域に沿って該第１制御領域内の１番目の直交周波数分割多重（ＯＦＤＭ）シンボルをマッピングしてから、該第１制御領域内の次のＯＦＤＭシンボルをマッピングすることを含む。
【０００９】
いくつかの可能な実現方式では、少なくとも１つの端末装置のダウンリンク制御チャネルの時間周波数リソースを決定することは、
該特定端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号及び／又はセル識別子のうちの少なくとも１つに基づいて、該少なくとも１つの端末装置のうちの特定端末装置の該第１制御領域内での少なくとも１つの制御チャネル候補に対応する制御チャネル要素（ＣＣＥ）リソースを決定することと、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当てることと、
すべての該少なくとも１つの端末装置にＣＣＥリソースが割り当てられた後、先周波数領域後時間領域の方式で該第１制御領域のＣＣＥリソースをマッピングして、該少なくとも１つの端末装置のダウンリンク制御チャネルの時間周波数リソースを得ることと、を含む。
【００１０】
いくつかの可能な実現方式では、１つの制御チャネル候補に対応するＣＣＥリソースが周波数領域において連続したものである。
【００１１】
いくつかの可能な実現方式では、該方法は、更に、
該第１制御領域の構成を示すための制御領域構成情報を該少なくとも１つの端末装置に送信することを含む。
【００１２】
いくつかの可能な実現方式では、該方法は、更に、
該特定端末装置のダウンリンク制御チャネルの時間周波数リソースの所在するＯＦＤＭシンボルを示すための第１サーチ空間構成情報を該少なくとも１つの端末装置のうちの特定端末装置に送信することを含む。
【００１３】
いくつかの可能な実現方式では、該第１制御領域内のＯＦＤＭシンボルがビーム番号に関連され、特定ビーム番号に対応するダウンリンク制御チャネルの時間周波数リソースが該特定ビーム番号に関連するＯＦＤＭシンボルに位置する。
【００１４】
いくつかの可能な実現方式では、該方法は、更に、
ビーム番号に関連するＯＦＤＭシンボルを示すための第２サーチ空間構成情報を該少なくとも１つの端末装置に送信することを含む。
【００１５】
いくつかの可能な実現方式では、該少なくとも１つの端末装置のダウンリンク制御チャネルの時間周波数リソースによって該少なくとも１つの端末装置のダウンリンク制御チャネルを送信することは、
該第１制御領域の少なくとも１つのＯＦＤＭシンボルにおいてビームフォーミングを用いて、該少なくとも１つの端末装置のダウンリンク制御チャネルの時間周波数リソースによって該少なくとも１つの端末装置のダウンリンク制御チャネルを送信することを含む。
【００１６】
第２態様に係る情報伝送方法であって、
少なくとも１つの端末装置のダウンリンク制御チャネルの時間周波数リソースを決定し、該少なくとも１つの端末装置のダウンリンク制御チャネルの時間周波数リソースが、システム帯域幅における第１制御領域内で、先時間領域後周波数領域の方式でマッピングされることと、
該少なくとも１つの端末装置のダウンリンク制御チャネルの時間周波数リソースによって該少なくとも１つの端末装置のダウンリンク制御チャネルを送信することと、を含む。
【００１７】
本願の実施例では、ネットワーク機器は該第１制御領域内で先時間領域後周波数領域の方式で少なくとも１つの端末装置のダウンリンク制御チャネルの時間周波数リソースをマッピングする。このように、１つ又は複数のダウンリンク制御チャネルが１つのＰＲＢにおける異なるＯＦＤＭシンボルにマッピングされることにより、制御チャネルリソースの再利用に役立ち、制御チャネルリソースを節約し、それによりシステムの性能を向上させることができる。
【００１８】
いくつかの可能な実現方式では、先時間領域後周波数領域の方式は、
時間領域に沿って該第１制御領域内の１番目の物理リソースブロック（ＰＲＢ）におけるすべての直交周波数分割多重（ＯＦＤＭ）シンボルをマッピングしてから、該第１制御領域内の次のＰＲＢにおけるすべてのＯＦＤＭシンボルをマッピングすることを含む。
【００１９】
いくつかの可能な実現方式では、少なくとも１つの端末装置のダウンリンク制御チャネルの時間周波数リソースを決定することは、
該特定端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号及び／又はセル識別子のうちの少なくとも１つに基づいて、該少なくとも１つの端末装置のうちの特定端末装置の第１制御領域内での少なくとも１つの制御チャネル候補に対応する制御チャネル要素（ＣＣＥ）リソースを決定することと、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当てることと、
すべての該少なくとも１つの端末装置にＣＣＥリソースが割り当てられた後、先時間領域後周波数領域の方式で第１制御領域のＣＣＥリソースをマッピングして、該少なくとも１つの端末装置のダウンリンク制御チャネルの時間周波数リソースを得ることと、を含む。
【００２０】
いくつかの可能な実現方式では、１つの制御チャネル候補に対応するＣＣＥリソースが周波数領域／時間領域において連続したものである。
【００２１】
いくつかの可能な実現方式では、該方法は、更に、
該第１制御領域の構成を示すための制御領域構成情報を該少なくとも１つの端末装置に送信することを含む。
【００２２】
第３態様に係る情報伝送方法であって、
ネットワーク機器から送信された、システム帯域幅における端末装置に対応する第１制御領域の構成を示す構成情報を受信することと、
該構成情報に基づいて該第１制御領域おいて該端末装置のダウンリンク制御チャネルを検出することと、を含む。
【００２３】
いくつかの可能な実現方式では、該構成情報に基づいて該第１制御領域おいて該端末装置のダウンリンク制御チャネルを検出することは、
該構成情報に基づいて該第１制御領域及び該第１制御領域のマッピング方式を決定することと、
該端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号又はセル識別子のうちの少なくとも１つに基づいて、該端末装置の該第１制御領域内での少なくとも１つの制御チャネル候補に対応する制御チャネル要素（ＣＣＥ）リソースを決定することと、
該少なくとも１つの制御チャネル候補に対応するＣＣＥリソース及び該マッピング方式に基づいて該端末装置のダウンリンク制御チャネルを検出することと、を含む。
【００２４】
いくつかの可能な実現方式では、該第１制御領域のマッピング方式が先周波数領域後時間領域の方式であり、該第１制御領域は１つ又は複数の直交周波数分割多重（ＯＦＤＭ）シンボルを含む。
【００２５】
いくつかの可能な実現方式では、該第１制御領域のマッピング方式が先時間領域後周波数領域の方式であり、該第１制御領域は複数のＯＦＤＭシンボルを含む。
【００２６】
第４態様に係るネットワーク機器であって、第１態様又は第１態様の任意の可能な実現方式における方法を実行するモジュールを備える。
【００２７】
第５態様に係るネットワーク機器であって、第２態様又は第２態様の任意の可能な実現方式における方法を実行するモジュールを備える。
【００２８】
第６態様に係る端末装置であって、第３態様又は第３態様の任意の可能な実現方式における方法を実行するモジュールを備える。
【００２９】
第７態様はネットワーク機器を提供する。該ネットワーク機器はプロセッサ、メモリ及び通信インターフェースを備える。プロセッサがメモリ及び通信インターフェースに接続される。メモリは命令を記憶することに用いられ、プロセッサは該命令を実行することに用いられ、通信インターフェースはプロセッサの制御によって他のネットワーク要素と通信することに用いられる。該プロセッサが該メモリに記憶される命令を実行するとき、該実行によって、該プロセッサが第１態様又は第１態様の任意の可能な実現方式、又は、第２態様又は第２態様の任意の可能な実現方式における方法を実行する。
【００３０】
第８態様は端末装置を提供する。該端末装置はプロセッサ、メモリ及び通信インターフェースを備える。プロセッサがメモリ及び通信インターフェースに接続される。メモリは命令を記憶することに用いられ、プロセッサは該命令を実行することに用いられ、通信インターフェースはプロセッサの制御によって他のネットワーク要素と通信することに用いられる。該プロセッサが該メモリに記憶される命令を実行するとき、該実行によって、該プロセッサが第３態様又は第３態様の任意の可能な実現方式における方法を実行する。
【００３１】
第９態様に係るコンピュータ可読媒体であって、コンピュータプログラムを記憶することに用いられ、該コンピュータプログラムは第１態様又は第１態様の任意の可能な実現方式における方法を実行するための命令を含む。
【００３２】
第１０態様に係るコンピュータ可読媒体であって、コンピュータプログラムを記憶することに用いられ、該コンピュータプログラムは第２態様又は第２態様の任意の可能な実現方式における方法を実行するための命令を含む。
【００３３】
第１１態様に係るコンピュータ可読媒体であって、コンピュータプログラムを記憶することに用いられ、該コンピュータプログラムは第３態様又は第３態様の任意の可能な実現方式における方法を実行するための命令を含む。
【図面の簡単な説明】
【００３４】
【図１】図１は本願の実施例を適用できる通信システムの模式図である。
【図２】図２は本願の実施例のリソースセットの模式図である。
【図３】図３は本願の実施例の制御チャネル要素の模式図である。
【図４】図４は本願の実施例の制御チャネル候補の模式図である。
【図５】図５は本願の一実施例の情報伝送方法の模式的なフローチャートである。
【図６】図６は本願の一実施例のマッピング方式の模式図である。
【図７】図７は本願の他の実施例の情報伝送方法の模式的なフローチャートである。
【図８】図８は本願の他の実施例のマッピング方式の模式図である。
【図９】図９は本願の別の実施例の情報伝送方法の模式的なフローチャートである。
【図１０】図１０は本願の一実施例のネットワーク機器の模式的なブロック図である。
【図１１】図１１は本願の他の実施例のネットワーク機器の模式的なブロック図である。
【図１２】図１２は本願の一実施例の端末装置の模式的なブロック図である。
【図１３】図１３は本願の別の実施例のネットワーク機器の模式構成図である。
【図１４】図１４は本願の他の実施例の端末装置の模式構成図である。
【発明を実施するための形態】
【００３５】
以下、本願の実施例の図面を参照しながら、本願の実施例の技術案を説明する。
【００３６】
図１には本願の実施例を適用する通信システムの模式図を示す。図１に示すように、ネットワーク１００はネットワーク機器１０２並びに端末装置１０４、１０６、１０８、１１０、１１２及び１１４を備えてもよく、ネットワーク機器と端末装置とが無線接続される。図１ではネットワークが１つのネットワーク機器を備える場合を例として説明するが、本願の実施例はこれに限らず、例えば、ネットワークは更により多くのネットワーク機器を備えてもよく、同様に、ネットワークは更により多くの端末装置を備えてもよく、且つネットワーク機器は更に他の機器を含んでもよいと理解すべきである。
【００３７】
本願は端末装置によって各実施例を説明した。端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよい。
【００３８】
本願はネットワーク機器によって各実施例を説明した。ネットワーク機器は端末装置と通信するための機器であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよい。
【００３９】
５Ｇシステムのダウンリンク制御チャネルは共通制御チャネル、端末装置特有（ＵＥ−ｓｐｅｃｉｆｉｃ）のダウンリンク制御チャネルの少なくとも２種類ある。共通制御チャネルはすべての端末装置又は一部の端末装置にいくつかの公共情報を放送することに用いられる。端末装置特有（ＵＥ−ｓｐｅｃｉｆｉｃ）のダウンリンク制御チャネルは指定された端末装置にダウンリンク関連制御情報、例えばデータ伝送に関連する構成情報等を伝送することに用いられる。端末装置はダウンリンクの時間領域スケジューリングユニット、例えば１つのスロット又はミニスロット（ｓｌｏｔ  ｏｒ  ｍｉｎｉ−ｓｌｏｔ）内で端末装置のために構成されたダウンリンク制御情報を検出することによりネットワーク経由でダウンリンクデータを伝送しているかどうかを判断して、関連構成情報を利用してダウンリンクデータを復調する。本願の実施例の技術案は端末装置特有（ＵＥ−ｓｐｅｃｉｆｉｃ）のダウンリンク制御チャネルに適用されてもよい。
【００４０】
４Ｇシステムとの相違点は、５Ｇシステムにおいて、１つのダウンリンク制御領域が更に制御リソースセット（ｃｏｎｔｒｏｌ  ｒｅｓｏｕｒｃｅ  ｓｅｔ）と称され、周波数領域においてシステム帯域幅全体を含むではなく、その一部の周波数領域リソースであることである。この領域は周波数領域において連続又は非連続したいくつかの物理リソースブロック（ＰＲＢ：Ｐｈｙｓｉｃａｌ  Ｒｅｓｏｕｒｃｅ  Ｂｌｏｃｋ）で構成されてもよい。その理由は、５Ｇシステムのカバレッジ周波数帯が広い可能性がある（特に高周波数帯において）ので、端末装置が周波数帯全体において制御チャネルを検出するために端末装置のリソースを大量消費する必要があるためである。時間領域において、ダウンリンク制御領域は１つの時間領域スケジューリングユニット内のすべてのＯＦＤＭシンボルで構成されるではなく、１つ又はいくつかのＯＦＤＭシンボルで構成される。一般的には、このいくつかのＯＦＤＭシンボルがダウンリンク時間領域スケジューリングユニットの最初に位置する。このように設計する理由は、いくつかのアプリケーションの要件、特に低遅延アプリケーションの要件を満たすよう、端末装置が制御信号を検出した後、データチャネルの復調を完了するための十分な時間があるためである。図２にはこのようなリソースセットを示す。
【００４１】
一般的に、制御チャネルの伝送は、制御情報の最後に繰り返し誤り訂正コードを追加し、次に制御チャネルの符号化、変調、前処理（例えば、伝送ダイバーシティ又はビームフォーミングを用いる）を行い、次に割り当てられた物理リソースにおいて伝送するステップを経る。
【００４２】
制御チャネルの負荷量が異なるため、符号化後のビットレートも異なり（チャネル品質及びビット誤り率の要件に応じて）、１つのダウンリンク制御チャネルが１つ又はいくつかの制御チャネル要素（ＣＣＥ：ｃｏｎｔｒｏｌ  ｃｈａｎｎｅｌ  ｅｌｅｍｅｎｔ）を用いて伝送されてもよく、例えば１、２、４、８・・・個の制御チャネル要素を用いて伝送され、それは更に制御チャネル要素アグリゲーションレベル（ＣＣＥ  ＡＬ：ＣＣＥ  ａｇｇｒｅｇａｔｉｏｎ  ｌｅｖｅｌ）とも称される。図３に示すように、１つの制御チャネル要素は更にいくつかの制御リソースユニット（ｃｏｎｔｒｏｌ  ｒｅｓｏｕｒｃｅ  ｕｎｉｔ）で構成されてもよく、１つの制御リソースユニットは周波数領域における１つの物理リソースブロック（ＰＲＢ）と時間領域における１つ（又はいくつか）のＯＦＤＭシンボルとで構成される１つの時間周波数リソース（ｔｉｍｅ−ｆｒｅｑｕｅｎｃｙ  ｒｅｓｏｕｒｃｅ）であって、制御チャネルの伝送に使用される最小リソースユニットとして見なされてもよい。
【００４３】
１つのダウンリンク制御領域は複数の端末装置により共有されてもよく、それらのダウンリンク制御チャネルがすべてこのダウンリンク制御領域において伝送されることを意味する。一般的には、端末装置は時間領域スケジューリングユニット内の対応するダウンリンク制御領域からサーチ・ブラインド検出して自体のダウンリンク制御チャネルを得る必要がある。異なる端末装置のダウンリンク制御チャネルが同じダウンリンク制御領域において衝突することを避けるために、各端末装置に送信したダウンリンク制御チャネルを特定のリソースにおいて伝送する必要があり、端末装置は特定のリソースから自体に属するダウンリンク制御チャネルをサーチ・ブラインド検出する必要がある。これらの特定のリソース及びその上において伝送する可能性のある異なるダウンリンク制御チャネル候補（ｃｏｎｔｒｏｌ  ｃｈａｎｎｅｌ  ｃａｎｄｉｄａｔｅ）、例えば同じ又は異なるＣＣＥ  ＡＬに基づく候補は端末装置のダウンリンク制御チャネルのサーチ空間（ｓｅａｒｃｈ  ｓｐａｃｅ）と総称される。
【００４４】
図４には１つの端末装置の同じ又は異なる制御チャネル要素アグリゲーションレベルに基づく異なるダウンリンク制御チャネル候補の実例を示す。例えば、ＣＣＥ  ＡＬ＝１に基づく候補が８つある可能性があり、例えば、ＣＣＥ  ＡＬ＝２に基づく候補が４つある可能性があり、例えば、ＣＣＥ  ＡＬ＝４に基づく候補が２つある可能性があり、例えば、ＣＣＥ  ＡＬ＝８に基づく候補が１つある可能性がある。これらの候補に使用されるリソースは完全に重なる可能性もあるし、部分的に重なる可能性もあるし、重ならない可能性もある。端末装置はネットワーク側がどの候補（同じ又は異なる制御チャネル要素アグリゲーションレベルに基づく候補を含む）を用いてその制御チャネルを送信するかを把握しない可能性があるため、すべての可能な候補のリソースにおいてブラインド検出によってそれに属する制御チャネルを検出する必要がある。すべての可能な候補においていずれもそれに属する制御信号を検出できない場合、端末装置はネットワーク側が現在のスケジューリングユニットで制御信号を送信してくることがないと仮定するしかない。
【００４５】
図５には本願の一実施例に係る情報伝送方法５００の模式的なフローチャートを示す。該方法５００はネットワーク機器、例えば図１におけるネットワーク機器１０２により実行される。図５に示すように、該方法５００は、
少なくとも１つの端末装置のダウンリンク制御チャネルの時間周波数リソースを決定し、該少なくとも１つの端末装置のダウンリンク制御チャネルの時間周波数リソースがシステム帯域幅における第１制御領域内で先周波数領域後時間領域の方式でマッピングされるＳ５１０と、
該少なくとも１つの端末装置のダウンリンク制御チャネルの時間周波数リソースによって該少なくとも１つの端末装置のダウンリンク制御チャネルを送信するＳ５２０と、を含む。
【００４６】
本願の実施例では、第１制御領域がシステム帯域幅における１つの制御領域である。ネットワーク機器は該第１制御領域内で先周波数領域後時間領域の方式で少なくとも１つの端末装置のダウンリンク制御チャネルの時間周波数リソースをマッピングする。このように、１つ又は複数のダウンリンク制御チャネルが１つのＯＦＤＭシンボルにマッピングされることにより、５Ｇシステムの要件に応じて、例えばビームフォーミング等の伝送方式を実行し、それによりダウンリンクカバレッジを強化し、システムの性能を向上させることができる。
【００４７】
好ましくは、先周波数領域後時間領域の方式は、
周波数領域に沿って該第１制御領域内の１番目のＯＦＤＭシンボルをマッピングしてから、該第１制御領域内の次のＯＦＤＭシンボルをマッピングすることを含む。
【００４８】
好ましくは、ネットワーク機器は該特定端末装置の無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）、現在の時間領域スケジューリングユニット番号、キャリア周波数番号、ＣＣＥ  ＡＬ、ビーム番号及び／又はセル識別子のうちの少なくとも１つに基づいて、該少なくとも１つの端末装置のうちの特定端末装置の該第１制御領域内での少なくとも１つの制御チャネル候補に対応するＣＣＥリソースを決定し、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当て、
すべての該少なくとも１つの端末装置にＣＣＥリソースが割り当てられた後、先周波数領域後時間領域の方式で該第１制御領域のＣＣＥリソースをマッピングして、該少なくとも１つの端末装置のダウンリンク制御チャネルの時間周波数リソースを得てもよい。
【００４９】
具体的には、ネットワーク機器は第１制御領域内のすべての可能なダウンリンク制御チャネルリソースを制御チャネル要素単位で配列し、次に上記１つ又は複数のパラメータに基づいて特定端末装置の第１制御領域内でのある制御チャネル候補に対応する制御チャネル要素リソースを決定する。これらのリソースが連続した制御チャネル要素である（チャネル全体がＮ個のＣＣＥを利用する場合、Ｎ個の連続したＣＣＥリソースを利用する）。
【００５０】
１つの制御チャネル候補に対応する制御チャネル要素リソースの一部又は全部が他の端末装置に割り当てられた場合、１つの制御チャネル候補を伝送できる未使用の制御チャネル要素リソースを発見するまで、ネットワーク機器は次の制御チャネル候補に対応する制御チャネル要素リソースを決定し続けることができる。
【００５１】
ネットワーク側機器は以上のステップを繰り返すことにより各スケジューリングされる可能性のある端末装置のダウンリンク制御チャネル候補に使用できるリソースを決定する。
【００５２】
次に、ネットワーク機器は先周波数領域後時間領域の方式で該第１制御領域のＣＣＥリソース（割り当てられたもの及び割り当てられていないものを含む）を物理リソースに順にマッピングする。例えば、周波数領域に沿って第１制御領域内の１番目のＯＦＭＤシンボルに満杯に詰め込んでから、周波数領域に沿って第１制御領域内の２番目のＯＦＤＭシンボル満杯に詰め込む。終了するまで、これによって類推する。
【００５３】
先周波数領域後時間領域の方式でマッピングするとき、１つの制御チャネル候補に対応するＣＣＥリソースが周波数領域において連続したものである。
【００５４】
本実施例では、ある端末装置のダウンリンク制御チャネルの時間周波数リソースが１つのＯＦＤＭシンボルに位置してもよい。つまり、該端末装置は制御領域が１つのＯＦＤＭシンボルであってもよい。
【００５５】
図６に示すように、ある特定端末に割り当てた制御領域（他の端末と共有する可能性のある）が１番目のＯＦＤＭシンボル（制御リソースセット領域全体が３つのＯＦＤＭシンボルを含むが）であると仮定し、ネットワーク機器はこの時間周波数リソース領域におけるすべてのＣＣＥを順にソートし、次に上記ルールに従って該端末装置の制御チャネルリソースの開始ＣＣＥのインデックスを決定し、同時に制御情報の負荷及びビットレートに基づいていくつのＣＣＥを必要とするかを決定する（つまり、ＣＣＥ集合レベルを決定する）。例えば、ＣＣＥ  ＡＬ＝４の場合、４つのＣＣＥを必要とし、ネットワーク機器は連続した４つのＣＣＥを該端末装置に割り当ててもよい。すべての端末装置のリソース割り当てが完了した後、ネットワーク機器は周波数領域に沿ってすべてのＣＣＥを制御リソースセットにおける１番目のＯＦＤＭシンボルに順にマッピングすることができる。また、複数のＯＦＤＭシンボルを構成した場合、周波数領域に沿って１番目のＯＦＤＭシンボルをマッピングしてから、周波数領域に沿って２番目のＯＦＤＭシンボルをマッピングしてもよく、これによって類推する。
【００５６】
本実施例案はビームシステムに適用されてもよく、１つ又は複数の制御チャネルを１つのＯＦＤＭシンボルにマッピングして伝送することにより、ビームフォーミングを実行して、ダウンリンクカバレッジ及び性能を強化する。
【００５７】
具体的に、ネットワーク機器は該第１制御領域の少なくとも１つのＯＦＤＭシンボルにおいてビームフォーミングを用いて、該少なくとも１つの端末装置のダウンリンク制御チャネルの時間周波数リソースによって該少なくとも１つの端末装置のダウンリンク制御チャネルを送信することができる。
【００５８】
本願の実施例では、該第１制御領域は１つ又は複数のＯＦＤＭシンボルを含んでもよいと理解すべきである。つまり、ネットワーク機器は１つのＯＦＤＭシンボルの制御領域によって本願の実施例の技術案を実施してもよいし、複数のＯＦＤＭシンボルの制御領域によって本願の実施例の技術案を実施してもよい。複数のＯＦＤＭシンボルの制御領域は、先周波数領域後時間領域の方式を用いるため、１つ又はいくつかの端末装置のダウンリンク制御チャネルの時間周波数リソースが１つのＯＦＤＭシンボルに位置する。
【００５９】
好ましくは、ネットワーク機器は更に該第１制御領域の構成を示すための制御領域構成情報を該少なくとも１つの端末装置に送信することができる。
【００６０】
具体的には、該制御領域構成情報は該第１制御領域の周波数領域構成と時間領域構成を示すことができる。
【００６１】
特定端末装置のダウンリンク制御チャネルの時間周波数リソースが該第１制御領域の１つのＯＦＤＭシンボルに位置するため、該第１制御領域の周波数領域構成が特定端末制御チャネルのサーチ空間領域の周波数領域構成とされてもよい。
【００６２】
好ましくは、ネットワーク機器は更に該特定端末装置のダウンリンク制御チャネルの時間周波数リソースの所在するＯＦＤＭシンボルを示すための第１サーチ空間構成情報を該少なくとも１つの端末装置のうちの特定端末装置に送信することができる。これは特定端末制御チャネルのサーチ空間領域の時間領域構成である。
【００６３】
好ましくは、該第１制御領域の構成は上位層シグナリングによって半静的に構成されてもよい。特定端末制御チャネルのサーチ空間領域の時間領域構成は上位層シグナリングによって半静的に構成されてもよいし、物理層シグナリングによって動的に構成されてもよく、物理層の共通チャネルを利用して放送する。
【００６４】
好ましくは、該第１制御領域内のＯＦＤＭシンボルがビーム番号に関連されてもよく、特定ビーム番号に対応するダウンリンク制御チャネルの時間周波数リソースが該特定ビーム番号に関連するＯＦＤＭシンボルに位置する。
【００６５】
好ましくは、ネットワーク機器は更にビーム番号に関連するＯＦＤＭシンボルを示すための第２サーチ空間構成情報を該少なくとも１つの端末装置に送信することができる。
【００６６】
ビーム番号をＯＦＤＭシンボルに関連付けることにより、異なるビームのために対応するサーチ空間を構成することができる。例えば、表１の方式で構成してもよい。該構成は上位層シグナリングによって半静的に構成されてもよい。
【表１】
0006935499.tif 000002
上記表１では、「時間領域マッピング」は以下の実施例に説明される先時間領域後周波数領域の方式を示してもよい。
【００６７】
図７には本願の他の実施例の情報伝送方法７００の模式的なフローチャートを示す。該方法７００はネットワーク機器、例えば図１におけるネットワーク機器１０２により実行される。図７に示すように、該方法７００は、
少なくとも１つの端末装置のダウンリンク制御チャネルの時間周波数リソースを決定し、該少なくとも１つの端末装置のダウンリンク制御チャネルの時間周波数リソースが、システム帯域幅における第１制御領域内で、先時間領域後周波数領域の方式でマッピングされるＳ７１０と、
該少なくとも１つの端末装置のダウンリンク制御チャネルの時間周波数リソースによって該少なくとも１つの端末装置のダウンリンク制御チャネルを送信するＳ７２０と、を含む。
【００６８】
本願の実施例では、第１制御領域がシステム帯域幅における１つの制御領域である。ネットワーク機器は該第１制御領域内で先時間領域後周波数領域の方式で少なくとも１つの端末装置のダウンリンク制御チャネルの時間周波数リソースをマッピングする。このように、１つ又は複数のダウンリンク制御チャネルが１つのＰＲＢにおける異なるＯＦＤＭシンボルにマッピングされることにより、制御チャネルリソースの再利用に役立ち、制御チャネルリソースを節約し、それによりシステムの性能を向上させることができる。
【００６９】
好ましくは、先時間領域後周波数領域の方式は、
時間領域に沿って該第１制御領域内の１番目の物理リソースブロック（ＰＲＢ）におけるすべての直交周波数分割多重（ＯＦＤＭ）シンボルをマッピングしてから、該第１制御領域内の次のＰＲＢにおけるすべてのＯＦＤＭシンボルをマッピングすることを含む。
【００７０】
好ましくは、ネットワーク機器は該特定端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号及び／又はセル識別子のうちの少なくとも１つに基づいて、該少なくとも１つの端末装置のうちの特定端末装置の第１制御領域内での少なくとも１つの制御チャネル候補に対応する制御チャネル要素（ＣＣＥ）リソースを決定し、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当て、
すべての該少なくとも１つの端末装置にＣＣＥリソースが割り当てられた後、先時間領域後周波数領域の方式で第１制御領域のＣＣＥリソースをマッピングして、該少なくとも１つの端末装置のダウンリンク制御チャネルの時間周波数リソースを得てもよい。
【００７１】
具体的には、ネットワーク機器は第１制御領域内のすべての可能なダウンリンク制御チャネルリソースを制御チャネル要素単位で配列し、次に上記１つ又は複数のパラメータに基づいて特定端末装置の第１制御領域内でのある制御チャネル候補に対応する制御チャネル要素リソースを決定する。これらのリソースが連続した制御チャネル要素である（チャネル全体がＮ個のＣＣＥを利用する場合、Ｎ個の連続したＣＣＥリソースを利用する）。
【００７２】
１つの制御チャネル候補に対応する制御チャネル要素リソースの一部又は全部が他の端末装置に割り当てられた場合、１つの制御チャネル候補を伝送できる未使用の制御チャネル要素リソースを発見するまで、ネットワーク機器は次の制御チャネル候補に対応する制御チャネル要素リソースを決定し続けることができる。
【００７３】
ネットワーク側機器は以上のステップを繰り返すことにより他の端末装置のダウンリンク制御チャネル候補に使用できるリソースを決定する。
【００７４】
次に、ネットワーク機器は先時間領域後周波数領域の方式で該第１制御領域のＣＣＥリソース（割り当てられたもの及び割り当てられていないものを含む）を物理リソースに順にマッピングする。例えば、時間領域に沿って第１制御領域の１つのＰＲＢにおける制御チャネルに割り当てたすべてのＯＦＤＭシンボル（制御リソースユニット単位で詰めてもよい）満杯に詰め込んでから、時間領域に沿って第１制御領域内の次のＰＲＢにおける制御チャネルに割り当てたすべてのＯＦＤＭシンボル満杯に詰め込む。終了するまで、これによって類推する。
【００７５】
好ましくは、１つの制御チャネル候補に対応するＣＣＥリソースが周波数領域／時間領域において連続したものである。
【００７６】
図８に示すように、ある特定端末に割り当てた制御領域（他の端末と共有する可能性のある）が制御リソースセット領域全体（３つのＯＦＤＭシンボルを含む）であると仮定し、ネットワーク機器はこの時間周波数リソース領域におけるすべてのＣＣＥを順にソートし、次に上記ルールに従って該端末の制御チャネルリソースの開始ＣＣＥのインデックスを決定し、同時に制御情報の負荷量及びビットレートに基づいていくつのＣＣＥを必要とするかを決定する（つまり、ＣＣＥ集合レベルを決定する）。例えば、ＣＣＥ  ＡＬ＝４の場合、４つのＣＣＥを必要とし、ネットワーク機器は連続した４つのＣＣＥを該端末装置に割り当ててもよい。すべてのスケジューリングすべき端末装置の制御チャネルリソースの割り当てが完了した後、ネットワーク機器はすべてのＣＣＥをいくつかのリソースユニット（例えば、図面における４つ）に分解してもよく、各リソースユニットが１つの周波数領域ＰＲＢ及び１つの時間領域ＯＦＤＭシンボルの時間周波数リソースを占有したと仮定し、ネットワーク機器はＣＣＥ（それに含まれるリソースユニットも含む）を時間領域の順序に沿って制御リソースセットにおける１番目のＰＲＢにおけるすべてのＯＦＤＭシンボル（シンボルインデックスの昇順）に順にマッピングしてから、制御リソースセットにおける２番目のＰＲＢにおけるすべてのＯＦＤＭシンボルに順にマッピングし、すべてのマッピングを完了するまで、これによって類推する。
【００７７】
本実施例案はビームシステム以外のシステムに適用されてもよく、１つ又は複数の制御チャネルを１つのＰＲＢにおける異なるＯＦＤＭシンボルにマッピングして伝送することにより、制御チャネルリソースの再利用に役立ち、制御チャネルリソースを節約する。
【００７８】
好ましくは、ネットワーク機器は更に該第１制御領域の構成を示すための制御領域構成情報を該少なくとも１つの端末装置に送信することができる。
【００７９】
該制御領域構成情報は該第１制御領域の周波数領域構成と時間領域構成を示すことができる。
【００８０】
好ましくは、該第１制御領域の構成は上位層シグナリングによって半静的に構成されてもよい。
【００８１】
以上はネットワーク機器側から本願の実施例の情報伝送方法を説明したが、以下に端末装置側から本願の実施例の情報伝送方法を説明する。
【００８２】
図９には本願の実施例に係る情報伝送方法９００の模式的なフローチャートを示す。該方法９００は端末装置、例えば図１における端末装置により実行される。図９に示すように、該方法９００は、
ネットワーク機器から送信された、システム帯域幅における端末装置に対応する第１制御領域の構成を示す構成情報を受信するＳ９１０と、
該構成情報に基づいて該第１制御領域おいて該端末装置のダウンリンク制御チャネルを検出するＳ９２０と、を含む。
【００８３】
好ましくは、端末装置は該構成情報に基づいて該第１制御領域及び該第１制御領域のマッピング方式を決定し、
該端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号又はセル識別子のうちの少なくとも１つに基づいて、該端末装置の該第１制御領域内での少なくとも１つの制御チャネル候補に対応する制御チャネル要素（ＣＣＥ）リソースを決定し、
該少なくとも１つの制御チャネル候補に対応するＣＣＥリソース及び該マッピング方式に基づいて該端末装置のダウンリンク制御チャネルを検出してもよい。
【００８４】
好ましくは、該第１制御領域のマッピング方式が先周波数領域後時間領域の方式であり、該第１制御領域は１つ又は複数の直交周波数分割多重（ＯＦＤＭ）シンボルを含む。
【００８５】
好ましくは、該第１制御領域のマッピング方式が先時間領域後周波数領域の方式であり、該第１制御領域は複数のＯＦＤＭシンボルを含む。
【００８６】
具体的には、端末装置は該構成情報に基づいて制御領域のサイズ、マッピング方式及びＣＣＥ総数を決定し、更に上記１つ又は複数のパラメータに基づいて該端末装置の該制御領域内でのある制御チャネル候補に対応する制御チャネル要素リソースを決定し、更に決定されたある制御チャネル候補に対応する制御チャネル要素リソース及びマッピング方式に基づいて制御チャネルをブラインド検出してもよく、ブラインド検出に失敗した場合、自体に属する制御チャネルを検出するまで、端末装置が上記ステップを繰り返すことにより他の制御チャネル候補を検出し、そうでない場合、端末装置はネットワーク機器が自体に属する制御チャネルを送信したことがないと仮定してもよい。
【００８７】
本願の実施例では、ネットワーク機器側から説明したネットワーク機器と端末装置との対話及び関連特性、機能等は端末装置側からの説明に対応し、簡潔のため、詳細な説明は省略すると理解すべきである。
【００８８】
本願の様々な実施例では、上記各過程の番号の順位は実行順序の前後を意味せず、各過程の実行順序はその機能及び内部論理によって決定されるべきであり、本願の実施例の実施過程を制限するためのものではないと理解すべきである。
【００８９】
以上は本願の実施例に係る情報伝送方法を詳しく説明したが、以下に本願の実施例に係るネットワーク機器及び端末装置を説明する。本願の実施例のネットワーク機器及び端末装置は上記本願の実施例の様々な方法、すなわち以下の様々な機器の具体的な動作過程を実行することができ、上記方法実施例における対応過程を参照してもよいと理解すべきである。
【００９０】
図１０には本願の一実施例に係るネットワーク機器１０００の模式的なブロック図を示す。図１０に示すように、該ネットワーク機器１０００は、
少なくとも１つの端末装置のダウンリンク制御チャネルの時間周波数リソースを決定し、該少なくとも１つの端末装置のダウンリンク制御チャネルの時間周波数リソースがシステム帯域幅における第１制御領域内で先周波数領域後時間領域の方式でマッピングされる処理モジュール１０１０と、
該少なくとも１つの端末装置のダウンリンク制御チャネルの時間周波数リソースによって該少なくとも１つの端末装置のダウンリンク制御チャネルを送信するための送受信モジュール１０２０と、を備える。
【００９１】
好ましくは、先周波数領域後時間領域の方式は、
周波数領域に沿って該第１制御領域内の１番目の直交周波数分割多重（ＯＦＤＭ）シンボルをマッピングしてから、該第１制御領域内の次のＯＦＤＭシンボルをマッピングすることを含む。
【００９２】
好ましくは、該処理モジュール１０１０は、具体的に、
該特定端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号及び／又はセル識別子のうちの少なくとも１つに基づいて、該少なくとも１つの端末装置のうちの特定端末装置の該第１制御領域内での少なくとも１つの制御チャネル候補に対応する制御チャネル要素（ＣＣＥ）リソースを決定し、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当て、
すべての該少なくとも１つの端末装置にＣＣＥリソースが割り当てられた後、先周波数領域後時間領域の方式で該第１制御領域のＣＣＥリソースをマッピングして、該少なくとも１つの端末装置のダウンリンク制御チャネルの時間周波数リソースを得ることに用いられる。
【００９３】
好ましくは、１つの制御チャネル候補に対応するＣＣＥリソースが周波数領域において連続したものである。
【００９４】
好ましくは、該送受信モジュール１０２０は、更に、該第１制御領域の構成を示すための制御領域構成情報を該少なくとも１つの端末装置に送信することに用いられる。
【００９５】
好ましくは、該送受信モジュール１０２０は、更に、該特定端末装置のダウンリンク制御チャネルの時間周波数リソースの所在するＯＦＤＭシンボルを示すための第１サーチ空間構成情報を該少なくとも１つの端末装置のうちの特定端末装置に送信することに用いられる。
【００９６】
好ましくは、該第１制御領域内のＯＦＤＭシンボルがビーム番号に関連され、特定ビーム番号に対応するダウンリンク制御チャネルの時間周波数リソースが該特定ビーム番号に関連するＯＦＤＭシンボルに位置する。
【００９７】
好ましくは、該送受信モジュール１０２０は、更に、ビーム番号に関連するＯＦＤＭシンボルを示すための第２サーチ空間構成情報を該少なくとも１つの端末装置に送信することに用いられる。
【００９８】
好ましくは、該送受信モジュール１０２０は、具体的に、該第１制御領域の少なくとも１つのＯＦＤＭシンボルにおいてビームフォーミングを用いて、該少なくとも１つの端末装置のダウンリンク制御チャネルの時間周波数リソースによって該少なくとも１つの端末装置のダウンリンク制御チャネルを送信することに用いられる。
【００９９】
図１１には本願の他の実施例に係るネットワーク機器１１００の模式的なブロック図を示す。図１１に示すように、該ネットワーク機器１１００は、
少なくとも１つの端末装置のダウンリンク制御チャネルの時間周波数リソースを決定することに用いられ、該少なくとも１つの端末装置のダウンリンク制御チャネルの時間周波数リソースが、システム帯域幅における第１制御領域内で、先時間領域後周波数領域の方式でマッピングされる処理モジュール１１１０と、
該少なくとも１つの端末装置のダウンリンク制御チャネルの時間周波数リソースによって該少なくとも１つの端末装置のダウンリンク制御チャネルを送信するための送受信モジュール１１２０と、を備える。
【０１００】
好ましくは、先時間領域後周波数領域の方式は、
時間領域に沿って該第１制御領域内の１番目の物理リソースブロック（ＰＲＢ）におけるすべての直交周波数分割多重（ＯＦＤＭ）シンボルをマッピングしてから、該第１制御領域内の次のＰＲＢにおけるすべてのＯＦＤＭシンボルをマッピングすることを含む。
【０１０１】
好ましくは、該処理モジュール１１１０は、具体的に、
該特定端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号及び／又はセル識別子のうちの少なくとも１つに基づいて、該少なくとも１つの端末装置のうちの特定端末装置の第１制御領域内での少なくとも１つの制御チャネル候補に対応する制御チャネル要素（ＣＣＥ）リソースを決定し、
第１制御チャネル候補に対応するＣＣＥリソースが割り当てられていない場合、該第１制御チャネル候補に対応するＣＣＥリソースを該特定端末装置に割り当て、該第１制御チャネル候補に対応するＣＣＥリソースが割り当てられた場合、未割り当ての次の制御チャネル候補に対応するＣＣＥリソースを該特定端末装置に割り当て、
すべての該少なくとも１つの端末装置にＣＣＥリソースが割り当てられた後、先時間領域後周波数領域の方式で第１制御領域のＣＣＥリソースをマッピングして、該少なくとも１つの端末装置のダウンリンク制御チャネルの時間周波数リソースを得ることに用いられる。
【０１０２】
好ましくは、１つの制御チャネル候補に対応するＣＣＥリソースが周波数領域／時間領域において連続したものである。
【０１０３】
好ましくは、該送受信モジュール１１２０は、更に、該第１制御領域の構成を示すための制御領域構成情報を該少なくとも１つの端末装置に送信することに用いられる。
【０１０４】
本願の実施例に係るネットワーク機器１０００及びネットワーク機器１１００は本願の実施例に係る情報伝送方法におけるネットワーク機器に対応してもよく、その中の各モジュールの上記及び他の操作及び／又は機能はそれぞれ上記各方法の対応プロセスを実現するためのものであり、簡潔のため、詳細な説明は省略する。
【０１０５】
図１２には本願の実施例に係る端末装置１２００の模式的なブロック図を示す。図１２に示すように、該端末装置１２００は、
ネットワーク機器から送信された、システム帯域幅における該端末装置に対応する第１制御領域の構成を示す構成情報を受信するための送受信モジュール１２１０と、
該構成情報に基づいて該第１制御領域おいて該端末装置のダウンリンク制御チャネルを検出するための処理モジュール１２２０と、を備える。
【０１０６】
好ましくは、該処理モジュール１２２０は、具体的に、
該構成情報に基づいて該第１制御領域及び該第１制御領域のマッピング方式を決定し、
該端末装置の無線ネットワーク一時識別子（ＲＮＴＩ）、現在の時間領域スケジューリングユニット番号、キャリア周波数番号、制御チャネル要素アグリゲーションレベル（ＣＣＥ  ＡＬ）、ビーム番号又はセル識別子のうちの少なくとも１つに基づいて、該端末装置の該第１制御領域内での少なくとも１つの制御チャネル候補に対応する制御チャネル要素（ＣＣＥ）リソースを決定し、
該少なくとも１つの制御チャネル候補に対応するＣＣＥリソース及び該マッピング方式に基づいて該端末装置のダウンリンク制御チャネルを検出することに用いられる。
【０１０７】
好ましくは、該第１制御領域のマッピング方式が先周波数領域後時間領域の方式であり、該第１制御領域は１つ又は複数の直交周波数分割多重（ＯＦＤＭ）シンボルを含む。
【０１０８】
好ましくは、該第１制御領域のマッピング方式が先時間領域後周波数領域の方式であり、該第１制御領域は複数のＯＦＤＭシンボルを含む。
【０１０９】
本願の実施例に係る端末装置１２００は本願の実施例に係る情報伝送方法における端末装置に対応してもよく、且つ端末装置１２００における各モジュールの上記及び他の操作及び／又は機能はそれぞれ上記各方法の対応プロセスを実現するためのものであり、簡潔のため、詳細な説明は省略する。
【０１１０】
図１３には本願の別の実施例に係るネットワーク機器の構造を示し、少なくとも１つのプロセッサ１３０２（例えば、ＣＰＵ）、少なくとも１つのネットワークインターフェース１３０５又は他の通信インターフェース、及びメモリ１３０６を備える。これらの部材同士が通信接続される。プロセッサ１３０２はメモリ１３０６に記憶される実行可能モジュール、例えばコンピュータプログラムを実行することに用いられる。メモリ１３０６は高速ランダムアクセスメモリ（ＲＡＭ：Ｒａｎｄｏｍ  Ａｃｃｅｓｓ  Ｍｅｍｏｒｙ）を含む可能性もあるし、更に不揮発性メモリ（ｎｏｎ−ｖｏｌａｔｉｌｅ  ｍｅｍｏｒｙ）、例えば少なくとも１つの磁気ディスクメモリを含む可能性もある。少なくとも１つのネットワークインターフェース１３０５（有線又は無線であってもよい）を介して少なくとも１つの他のネットワーク要素との通信接続を実現する。
【０１１１】
いくつかの実施方式では、メモリ１３０６にプログラム１３０６１が記憶され、プロセッサ１３０２はプログラム１３０６１を実行し、上記本願の様々な実施例における方法を実行することに用いられる。
【０１１２】
図１４には本願の他の実施例に係る端末装置の構造を示し、少なくとも１つのプロセッサ１４０２（例えば、ＣＰＵ）、少なくとも１つのネットワークインターフェース１４０５又は他の通信インターフェース、及びメモリ１４０６を備える。これらの部材同士が通信接続される。プロセッサ１４０２はメモリ１４０６に記憶される実行可能モジュール、例えばコンピュータプログラムを実行することに用いられる。メモリ１４０６は高速ランダムアクセスメモリ（ＲＡＭ：Ｒａｎｄｏｍ  Ａｃｃｅｓｓ  Ｍｅｍｏｒｙ）を含む可能性もあるし、更に不揮発性メモリ（ｎｏｎ−ｖｏｌａｔｉｌｅ  ｍｅｍｏｒｙ）、例えば少なくとも１つの磁気ディスクメモリを含む可能性もある。少なくとも１つのネットワークインターフェース１４０５（有線又は無線であってもよい）を介して少なくとも１つの他のネットワーク要素との通信接続を実現する。
【０１１３】
いくつかの実施方式では、メモリ１４０６にプログラム１４０６１が記憶され、プロセッサ１４０２はプログラム１４０６１を実行し、上記本願の様々な実施例における方法を実行することに用いられる。
【０１１４】
本願の実施例における具体例は当業者が本願の実施例を理解するためのものであり、本願の実施例の範囲を制限するためのものではないと理解すべきである。
【０１１５】
本願の実施例では、用語「及び／又は」は関連オブジェクトを説明する関連関係に過ぎず、３つの関係が存在してもよいことを示すと理解すべきである。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１１６】
当業者であれば、本明細書に開示される実施例を参照して説明した各例示的なユニット及びアルゴリズムステップは、電子ハードウェア、コンピュータソフトウェア又はそれらの組み合わせで実現されてもよく、ハードウェアとソフトウェアとの互換性を明確に説明するために、上記説明において既に機能に基づいて各例示的な構成及びステップを一般的に説明したと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１１７】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１１８】
本願に係るいくつかの実施例では、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。また、表示又は検討される相互間の結合又は直接結合又は通信接続はいくつかのインターフェース、装置又はユニットによる間接結合又は通信接続であってもよく、電気、機械又は他の形式の接続であってもよい。
【０１１９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本願の実施例案の目的を実現してもよい。
【０１２０】
また、本願の各実施例では、各機能ユニットは１つの処理ユニットに統合されてもよく、各ユニットは独立して物理的に存在してもよく、２つ又は２つ以上のユニットは１つのユニットに統合されてもよい。上記統合されたユニットはハードウェアの形式で実現されてもよいし、ソフトウェア機能ユニットの形式で実現されてもよい。
【０１２１】
前記統合されたユニットはソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の全部又は一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２２】
以上の説明は本願の具体的な実施形態であって、本願の保護範囲を制限するためのものではなく、当業者が本願に開示される技術的範囲内に様々な等価修正や置換を容易に想到し得ることができ、これらの修正や置換はいずれも本願の保護範囲内に含まれるべきである。従って、本願の保護範囲は特許請求の範囲に準じるべきである。
【図１】
0006935499.tif 000003
【図２】
0006935499.tif 000004
【図３】
0006935499.tif 000005
【図４】
0006935499.tif 000006
【図５】
0006935499.tif 000007
【図６】
0006935499.tif 000008
【図７】
0006935499.tif 000009
【図８】
0006935499.tif 000010
【図９】
0006935499.tif 000011
【図１０】
0006935499.tif 000012
【図１１】
0006935499.tif 000013
【図１２】
0006935499.tif 000014
【図１３】
0006935499.tif 000015
【図１４】
0006935499.tif 000016